(57)【要約】【課題】クリップとして使用していないときに机上等に安定して設置可能なクリップを提供する。【解決手段】クリップ１は、回動可能に連結された第１挟持部材２及び第２挟持部材３と、第１挟持部材２と第２挟持部材３との間で第１挟持部材２及び第２挟持部材３の連結部４側から第１方向７ａに延びる挟持間隙７を狭めるように、第１挟持部材２と第２挟持部材３とを付勢するコイルばね６と、を備え、第２挟持部材３は、設置部９を有し、設置部９は、第１挟持部材２の腕部２２よりも第１方向７ａに突出して配置される脚部３２を有し、脚部３２は、設置部９が置かれた設置面５０に接する一つ以上の接点部９ａ、９ｂと、第１挟持部材２の腕部２２に対して第１方向７ａに対向して配置される凸部３２ａと、を有する。【選択図】図１
2020093115.tif 000002
【特許請求の範囲】
【請求項１】
回動可能に連結された第１挟持部材及び第２挟持部材と、
前記第１挟持部材と前記第２挟持部材との間で第１挟持部材及び第２挟持部材の連結部側から第１方向に延びる挟持間隙を狭めるように、前記第１挟持部材と前記第２挟持部材とを付勢する付勢部材と、
を備え、
前記第２挟持部材は、設置部を有し、
前記設置部は、前記第１挟持部材の先端部よりも前記第１方向に突出して配置される突出部を有し、
前記突出部は、前記設置部が置かれた設置面に接する一つ以上の接点部と、前記第１挟持部材の先端部に対して前記第１方向に対向して配置される凸部と、を有する、
クリップ。
【請求項２】
請求項１記載のクリップであって、
前記設置部は、前記設置面に接する三つの接点部を有し、
前記突出部は、前記三つの接点部のうち二つの接点部を有し、
前記挟持間隙が閉じられている状態で、前記三つの接点部によって形成される三角形の法線方向に見た場合に、前記第１挟持部材の重心は前記三角形の内側に位置するクリップ。
【請求項３】
請求項２記載のクリップであって、
頭部及び脚部を有する人形形状を呈しており、
前記頭部は前記第１挟持部材に設けられ、
前記脚部は前記第２挟持部材の前記突出部であるクリップ。
【発明の詳細な説明】
【技術分野】
【０００１】
本発明は、クリップに関する。
【背景技術】
【０００２】
特許文献１に記載されたクリップは、挟持部の一部又は全体にぬいぐるみが取り付けられており、紙袋等の開口部の端部をクリップで挟持した場合に、ぬいぐるみの一部が当たり止めとして作用すると共に、ぬいぐるみによって挟持部が補強されている。
【先行技術文献】
【特許文献】
【０００３】
【特許文献１】特開２００３−３１０３１４号公報
【発明の概要】
【発明が解決しようとする課題】
【０００４】
特許文献１に記載されたクリップでは、挟持部を挟んで一方に配置されるぬいぐるみの一部が、他方に配置されるぬいぐるみの一部よりも長く、相対的に長い一部によってクリップの把持部が形成されている。しかし、把持部を形成しているぬいぐるみの一部は挟持に寄与していない。また、特許文献１に記載されたクリップは、装飾性を有するが、クリップとして使用していないときにぬいぐるみとして机上等に置いておくことは考慮されていない。
【０００５】
本発明は、クリップとして使用していないときに机上等に安定して設置可能なクリップを提供することを目的とする。
【課題を解決するための手段】
【０００６】
本発明に係るクリップは、回動可能に連結された第１挟持部材及び第２挟持部材と、前記第１挟持部材と前記第２挟持部材との間で第１挟持部材及び第２挟持部材の連結部から第１方向に延びる挟持間隙を狭めるように、前記第１挟持部材と前記第２挟持部材とを付勢する付勢部材と、を備え、前記第２挟持部材は、設置部を有し、前記設置部は、前記第１挟持部材の先端部よりも前記第１方向に突出して配置される突出部を有し、前記突出部は、前記設置部が置かれた設置面に接する一つ以上の接点部と、前記第１挟持部材の先端部と前記第１方向に対向して配置される凸部と、を有することを特徴とする。
【０００７】
また、本発明に係るクリップにおいては、前記設置部は、前記設置面に接する三つの接点部を有し、前記突出部は、前記三つの接点部のうち二つの接点部を有し、前記挟持間隙が閉じられている状態で、前記三つの接点部によって形成される三角形の法線方向に見た場合に、前記第１挟持部材の重心は前記三角形の内側に位置してもよい。
【０００８】
また、本発明に係るクリップにおいては、頭部及び脚部を有する人形形状を呈しており、前記頭部は前記第１挟持部材に設けられ、前記脚部は前記第２挟持部材の前記突出部であってもよい。
【発明の効果】
【０００９】
本発明によれば、クリップとして使用していないときは机上等に安定して設置可能なクリップを提供することができる。
【図面の簡単な説明】
【００１０】
【図１】本発明の実施形態を説明するためのクリップの一例を示す図であり、挟持部が互いに接近している状態を示す側面図である。
【図２】図１のクリップの挟持部が互いに離間している状態を示す側面図である。
【図３】図１のクリップの正面図である。
【図４】図１のクリップの重心位置を示す模式図である。
【発明を実施するための形態】
【００１１】
図１から図３は、本発明の実施形態を説明するためのクリップの一例を示す。
【００１２】
クリップ１は、頭部２１、腕部２２、胴部３１及び一対の脚部３２を有する人形の形状を呈している。頭部２１及び腕部（先端部）２２は一体に形成され、第１挟持部材２を構成しており、胴部３１及び一対の脚部３２は一体に形成され、第２挟持部材３を構成している。第１挟持部材２と第２挟持部材３とは連結部４によって連結されており、連結部４は、頭部２１の内部に設けられた軸５を有し、第１挟持部材２と第２挟持部材３とは、軸５を中心に回動可能に連結されている。軸５の外周には、コイルばね（付勢部材）６が巻回されており、コイルばね６の一方の端部６ａは第１挟持部材２に固定され、他方の端部６ｂは第２挟持部材３に固定されている。
【００１３】
第１挟持部材２の腕部２２と第２挟持部材３の胴部３１との間には、連結部４側から第１方向７ａに延びる挟持間隙７が形成され、コイルばね６は、挟持間隙７が狭くなる方向に第１挟持部材２と第２挟持部材３とを付勢している。これにより、挟持間隙７に差し込まれた紙束などの被挟持物８が、第１挟持部材２と第２挟持部材３とによって挟持される。
【００１４】
第２挟持部材３は、クリップ１を机等の設置面５０上に設置する場合に、設置面５０に接する設置部９を有し、設置部９は、腕部（先端部）２２よりも第１方向７ａに突出して配置される一対の脚部（突出部）３２を含む。そして、一対の脚部（突出部）３２は、設置面５０に接する接点部９ａ、９ｂを脚の踵に有し、また、腕部（先端部）２２に対して第１方向７ａに対向する凸部３２ａを脚のつま先に有する。
【００１５】
図２に示すように、挟持間隙７が広がる方向に第１挟持部材２と第２挟持部材３とを開き、挟持間隙７に被挟持物８を配置する。そして、第１挟持部材２と第２挟持部材３とに加えていた力を緩めると、コイルばね６の付勢力により、挟持間隙７が狭くなる方向に第１挟持部材２と第２挟持部材３とが閉じられ、図１に示すように、腕部２２と胴部３１との間に被挟持物８が挟持される。さらに被挟持物８は、凸部３２ａに沿って曲げられ、腕部２２と凸部３２ａとの間でも挟持される。従って、挟持間隙７を形成する腕部２２と胴部３１のみによって挟持される場合と比較して、被挟持物８の挟持力をより高めることができる。
【００１６】
図４はクリップ１の重心位置を示す模式図である。
【００１７】
設置面５０に設置されたクリップ１の設置部９は、一対の脚部３２に設けられた接点部９ａ、９ｂと、胴部３１に設けられた接点部９ｃとを有する。挟持間隙７が閉じられている状態で、設置面５０に対して垂直な方向（３つの接点部９ａ、９ｂ、９ｃによって形成される三角形Ｔの法線Ｌの方向）にクリップ１を見た場合に、第１挟持部材２の重心Ｂは３つの接点部９ａ、９ｂ、９ｃによって形成される三角形Ｔの内側に位置する。すなわち、重心Ｂから設置面５０に対して垂直な方向に延ばした垂線（法線Ｌ）が三角形Ｔの内側で設置面５０と交わる。重心Ｂが３つの接点部９ａ、９ｂ、９ｃによって形成されるので内側に位置するので、クリップ１をより安定して設置することができる。
【００１８】
なお、本実施形態では、クリップ１は人形形状であり、頭部２１及び腕部２２が設けられた第１挟持部材２と、胴部３１及び一対の脚部３２が設けられた第２挟持部材３とにより被挟持物８を挟持する構成であるが、本発明の構造を満足するものであれば、人形形状に限定されない。
【符号の説明】
【００１９】
１  クリップ
２  第１挟持部材
３  第２挟持部材
４  連結部
５  軸
６  コイルばね
７  挟持間隙
７ａ  第１方向
８  被挟持物
９  設置部
９ａ、９ｂ、９ｃ  接点部
２１  頭部
２２  腕部
３１  胴部
３２  脚部
３２ａ  凸部
５０  設置面
【図１】
2020093115.tif 000003
【図２】
2020093115.tif 000004
【図３】
2020093115.tif 000005
【図４】
2020093115.tif 000006